(57)【要約】  アクチュエータの負担を軽減し、高精度な動作を行わせることができる光ピックアップ装置用のレンズユニット及び光ピックアップ装置を提供するために、第１の対物レンズ部ＯＬ１における光ディスク側の面頂点からＤＶＤの表面までの距離（ＷＤ１）と、第２の対物レンズ部ＯＬ２における光情報記録媒体側の面頂点からＣＤまでの距離（ＷＤ２）とを略等しくすることによって、レンズユニットＯＥを駆動するアクチュエータの負担を抑えることが出来、共振等を抑制して高精度な駆動を実現できる。
2008117640.tif 000002
【特許請求の範囲】
【請求項１】
単一もしくは複数の光源と、第１の対物レンズ部及び第２の対物レンズ部を一体的に形成したレンズユニットとを有し、前記光源からの光束を、前記第１の対物レンズ部を介して保護基板厚ｔ１の第１光情報記録媒体の情報記録面に集光させることにより、その情報記録面に対して情報の記録及び／又は再生が可能となっており、また前記光源からの光束を、前記第２の対物レンズ部を介して保護基板厚ｔ２の第２光情報記録媒体の情報記録面に集光させることにより、その情報記録面に対して情報の記録及び／又は再生が可能となっている光ピックアップ装置用のレンズユニットであって、
前記第１光情報記録媒体の必要開口数ＮＡ１が、前記第２光情報記録媒体の必要開口数ＮＡ２より大きくなっているか、又は前記第１の対物レンズ部に入射する光束の波長λ１が、前記第２の対物レンズ部に入射する光束の波長λ２より短い場合、以下の式を満たすことを特徴とする光ピックアップ装置用のレンズユニット。
０．１  ≦  ＷＤ１  ≦  １．５                              （１）
０．１  ≦  ＷＤ２  ≦  １．５                              （２）
０．９・ＷＤ１  ≦  ＷＤ２  ≦  １．１・ＷＤ１              （３）
０．７６  ≦  ｆ２／ｆ１  ≦  １．４６                      （４）
但し
ＷＤ１（ｍｍ）：前記第１光情報記録媒体に対して情報記録及び／又は再生を行うために集光スポットを形成したときの、前記第１の対物レンズ部における第１光情報記録媒体側の面頂点から前記第１光情報記録媒体の表面までの距離
ＷＤ２（ｍｍ）：前記第２光情報記録媒体に対して情報記録及び／又は再生を行うために集光スポットを形成したときの、前記第２の対物レンズ部における第２光情報記録媒体側の面頂点から前記第２光情報記録媒体の表面までの距離
ｆ１（ｍｍ）：波長λ１の光束での前記第１の対物レンズ部の焦点距離
ｆ２（ｍｍ）：波長λ２の光束での前記第２の対物レンズ部の焦点距離
【請求項２】
以下の式を満たすことを特徴とする請求の範囲第１項に記載の光ピックアップ装置用のレンズユニット。
０．４３  ≦  ｄ１／ｆ１  ≦  １．４５                  （５）
但し
ｄ１（ｍｍ）：前記第１の対物レンズ部の軸上厚さ
【請求項３】
以下の式を満たすことを特徴とする請求の範囲第１項または第２項に記載の光ピックアップ装置用のレンズユニット。
０．３４  ≦  ｄ２／ｆ２  ≦  １．１０                  （６）
但し
ｄ２（ｍｍ）：前記第２の対物レンズ部の軸上厚さ
【請求項４】
以下の式を満たすことを特徴とする請求の範囲第１項〜第３項のいずれかに記載の光ピックアップ装置用のレンズユニット。
０．２４  ≦  ＮＡ１／ｆ１  ≦  ０．８５                （７）
【請求項５】
以下の式を満たすことを特徴とする請求の範囲第１項〜第４項のいずれかに記載の光ピックアップ装置用のレンズユニット。
０．１８  ≦  ＮＡ２／ｆ２  ≦  ０．７５                （８）
【請求項６】
前記第１光情報記録媒体はＤＶＤであり、前記第２光情報記録媒体はＣＤであり、
以下の式を満たすことを特徴とする請求の範囲第１項〜第５項のいずれかに記載の光ピックアップ装置用のレンズユニット。
０．３  ≦  ＷＤ１  ≦  １．５                      （１＊）
０．３  ≦  ＷＤ２  ≦  １．５                      （２＊）
１．０１  ≦  ｆ２／ｆ１  ≦  １．２９              （４＊）
【請求項７】
以下の式を満たすことを特徴とする請求の範囲第６項に記載の光ピックアップ装置用のレンズユニット。
０．４  ≦  ＷＤ１  ≦  １．０                    （１＊＊）
０．４  ≦  ＷＤ２  ≦  １．０                    （２＊＊）
１．０１  ≦  ｆ２／ｆ１  ≦  １．２９            （４＊＊）
【請求項８】
以下の式を満たすことを特徴とする請求の範囲第６項または第７項に記載の光ピックアップ装置用のレンズユニット。
０．４３  ≦  ｄ１／ｆ１  ≦  １．１８                （５＊）
但し
ｄ１（ｍｍ）：第１の対物レンズ部の軸上厚さ
【請求項９】
以下の式を満たすことを特徴とする請求の範囲第６項〜第８項のいずれかに記載の光ピックアップ装置用のレンズユニット。
０．３４  ≦  ｄ２／ｆ２  ≦  ０．６５                （６＊）
但し
ｄ２（ｍｍ）：第２の対物レンズ部の軸上厚さ
【請求項１０】
以下の式を満たすことを特徴とする請求の範囲第６項〜第９項のいずれかに記載の光ピックアップ装置用のレンズユニット。
０．２４  ≦  ＮＡ１／ｆ１  ≦  ０．７７              （７＊）
【請求項１１】
以下の式を満たすことを特徴とする請求の範囲第６項〜第１０項のいずれかに記載の光ピックアップ装置用のレンズユニット。
０．１８  ≦  ＮＡ２／ｆ２  ≦  ０．４１              （８＊）
【請求項１２】
前記第１光情報記録媒体はＢＤであり、前記第２光情報記録媒体はＨＤであり、
以下の式を満たすことを特徴とする請求の範囲第１項〜第５項のいずれかに記載の光ピックアップ装置用のレンズユニット。
０．１  ≦  ＷＤ１  ≦  １．０                    （１＊＊＊）
０．１  ≦  ＷＤ２  ≦  １．０                    （２＊＊＊）
０．７７  ≦  ｆ２／ｆ１  ≦  １．２３            （４＊＊＊）
【請求項１３】
以下の式を満たすことを特徴とする請求の範囲第１２項に記載の光ピックアップ装置用のレンズユニット。
０．５  ≦  ＷＤ１  ≦  ０．８                    （１＊＊＊＊）
０．５  ≦  ＷＤ２  ≦  ０．８                    （２＊＊＊＊）
０．７７  ≦  ｆ２／ｆ１  ≦  １．２３            （４＊＊＊＊）
【請求項１４】
以下の式を満たすことを特徴とする請求の範囲第１２項または第１３項に記載の光ピックアップ装置用のレンズユニット。
１．１５  ≦  ｄ１／ｆ１  ≦  １．４４                （５＊＊）
但し
ｄ１（ｍｍ）：前記第１の対物レンズ部の軸上厚さ
【請求項１５】
以下の式を満たすことを特徴とする請求の範囲第１２項〜第１４項のいずれかに記載の光ピックアップ装置用のレンズユニット。
０．６９  ≦  ｄ２／ｆ２  ≦  １．２０                （６＊＊）
但し
ｄ２（ｍｍ）：前記第２の対物レンズ部の軸上厚さ
【請求項１６】
以下の式を満たすことを特徴とする請求の範囲第１２項〜第１５項のいずれかに記載の光ピックアップ装置用のレンズユニット。
０．３５  ≦  ＮＡ１／ｆ１  ≦  ０．８５              （７＊＊）
【請求項１７】
以下の式を満たすことを特徴とする請求の範囲第１２項〜第１６項のいずれかに記載の光ピックアップ装置用のレンズユニット。
０．２４  ≦  ＮＡ２／ｆ２  ≦  ０．７５              （８＊＊）
【請求項１８】
以下の式を満たすことを特徴とする請求の範囲第１項〜第１７項のいずれかに記載の光ピックアップ装置用のレンズユニット。
−０．０２  ＜  ｍ１  ＜  ０．０２        （９）
−０．０２  ＜  ｍ２  ＜  ０．０２        （１０）
但し
ｍ１：前記光源から出射され、前記第１の対物レンズ部へ入射する光束の倍率
ｍ２：前記光源から出射され、前記第２の対物レンズ部へ入射する光束の倍率
【請求項１９】
前記第１の対物レンズ部と前記第２の対物レンズ部の少なくとも一方は、非球面の屈折面の光学面のみを有することを特徴とする請求の範囲第１項〜第１８項のいずれかに記載の光ピックアップ装置用のレンズユニット。
【請求項２０】
前記第１の対物レンズ部と前記第２の対物レンズ部が共に、非球面の屈折面の光学面のみを有することを特徴とする請求の範囲第１９項に記載の光ピックアップ装置用のレンズユニット。
【請求項２１】
前記第１の対物レンズ部と前記第２の対物レンズ部とは一体成形により、一体的に形成されていることを特徴とする請求の範囲第１項〜第２０項のいずれかに記載の光ピックアップ装置用のレンズユニット。
【請求項２２】
前記第１の対物レンズ部と前記第２の対物レンズ部とを係合して一体的に形成していることを特徴とする請求の範囲第１項〜第２０項のいずれかに記載の光ピックアップ装置用のレンズユニット。
【請求項２３】
前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、
前記第１の対物レンズ部の前記第２の光学面の面頂点と、前記第２の対物レンズ部の前記第２の光学面の面頂点の光軸方向の高さが等しいことを特徴とする請求の範囲第１項〜第２２項のいずれかに記載の光ピックアップ装置用のレンズユニット。
【請求項２４】
前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、以下の条件式を満たすことを特徴とする請求の範囲第１項〜第２３項のいずれかに記載の光ピックアップ装置用のレンズユニット。
１．０  ≦  ｛（Φ１１／ＳＡＧ１１）×（Φ１２／ＳＡＧ１２）｝／｛（Φ２１／ＳＡＧ２１）×（Φ２２／ＳＡＧ２２）｝  ≦  １．６          （１１）
Φ１１（ｍｍ）：前記第１の対物レンズ部の前記第１の光学面の有効半径
Φ１２（ｍｍ）：前記第１の対物レンズ部の前記第２の光学面の有効半径
Φ２１（ｍｍ）：前記第２の対物レンズ部の前記第１の光学面の有効半径
Φ２２（ｍｍ）：前記第２の対物レンズ部の前記第２の光学面の有効半径
ＳＡＧ１１（ｍｍ）：前記第１の対物レンズ部の前記第１の光学面のサグ量
ＳＡＧ１２（ｍｍ）：前記第１の対物レンズ部の前記第２の光学面のサグ量
ＳＡＧ２１（ｍｍ）：前記第２の対物レンズ部の前記第１の光学面のサグ量
ＳＡＧ２２（ｍｍ）：前記第２の対物レンズ部の前記第２の光学面のサグ量
【請求項２５】
前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、前記第１光情報記録媒体はＤＶＤであり、前記２光情報記録媒体はＣＤであり、以下の条件式を満たすことを特徴とする請求の範囲第６項〜第１１項のいずれかに記載の光ピックアップ装置用のレンズユニット。
１．１  ≦  ｛（Φ１１／ＳＡＧ１１）×（Φ１２／ＳＡＧ１２）｝／｛（Φ２１／ＳＡＧ２１）×（Φ２２／ＳＡＧ２２）｝  ≦  １．６          （１２）
Φ１１（ｍｍ）：前記第１の対物レンズ部の前記第１の光学面の有効半径
Φ１２（ｍｍ）：前記第１の対物レンズ部の前記第２の光学面の有効半径
Φ２１（ｍｍ）：前記第２の対物レンズ部の前記第１の光学面の有効半径
Φ２２（ｍｍ）：前記第２の対物レンズ部の前記第２の光学面の有効半径
ＳＡＧ１１（ｍｍ）：前記第１の対物レンズ部の前記第１の光学面のサグ量
ＳＡＧ１２（ｍｍ）：前記第１の対物レンズ部の前記第２の光学面のサグ量
ＳＡＧ２１（ｍｍ）：前記第２の対物レンズ部の前記第１の光学面のサグ量
ＳＡＧ２２（ｍｍ）：前記第２の対物レンズ部の前記第２の光学面のサグ量
【請求項２６】
前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、前記第１光情報記録媒体はＢＤであり、前記第２光情報記録媒体はＨＤであり、以下の条件式を満たすことを特徴とする請求の範囲第１２項〜第１７項のいずれかに記載の光ピックアップ装置用のレンズユニット。
１．０  ≦  ｛（Φ１１／ＳＡＧ１１）×（Φ１２／ＳＡＧ１２）｝／｛（Φ２１／ＳＡＧ２１）×（Φ２２／ＳＡＧ２２）｝  ≦  １．２          （１３）
Φ１１（ｍｍ）：前記第１の対物レンズ部の前記第１の光学面の有効半径
Φ１２（ｍｍ）：前記第１の対物レンズ部の前記第２の光学面の有効半径
Φ２１（ｍｍ）：前記第２の対物レンズ部の前記第１の光学面の有効半径
Φ２２（ｍｍ）：前記第２の対物レンズ部の前記第２の光学面の有効半径
ＳＡＧ１１（ｍｍ）：前記第１の対物レンズ部の前記第１の光学面のサグ量
ＳＡＧ１２（ｍｍ）：前記第１の対物レンズ部の前記第２の光学面のサグ量
ＳＡＧ２１（ｍｍ）：前記第２の対物レンズ部の前記第１の光学面のサグ量
ＳＡＧ２２（ｍｍ）：前記第２の対物レンズ部の前記第２の光学面のサグ量
【請求項２７】
請求の範囲第１項〜第２６項のいずれかに記載の光ピックアップ装置用のレンズユニットを用いたことを特徴とする光ピックアップ装置。
【発明の詳細な説明】
【技術分野】
【０００１】
本発明は、異なる種類の光情報記録媒体（光ディスクともいう）に対して情報の記録及び／又は再生を行える光ピックアップ装置用のレンズユニット及びそれを用いた光ピックアップ装置に関する。
【背景技術】
【０００２】
近年、波長４００ｎｍ程度の青紫色半導体レーザを用いて、情報の記録及び／又は再生（以下、「記録及び／又は再生」を「記録／再生」と記載する）を行える高密度光ディスクシステムの研究・開発が急速に進んでいる。一例として、ＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４、７ＧＢ）と同じ大きさである直径１２ｃｍの光ディスクに対して、１層あたり２５ＧＢ程度の情報の記録が可能であり、又、ＮＡ０．６５、光源波長４０５ｎｍの仕様で情報記録／再生を行う光ディスク、いわゆるＨＤ  ＤＶＤ（以下、ＨＤという）では、直径１２ｃｍの光ディスクに対して、１層あたり１５ＧＢ程度の情報の記録が可能である。尚、ＢＤでは、光ディスクの傾き（スキュー）に起因して発生するコマ収差が増大するため、ＤＶＤにおける場合よりも保護層を薄く設計し（ＤＶＤの０．６ｍｍに対して、０．１ｍｍ）、スキューによるコマ収差量を低減している。以下、本明細書では、このような光ディスクを「高密度光ディスク」と呼ぶ。【０００３】
また、現在において、多種多様な情報を記録したＤＶＤ（デジタルバーサタイルディスク）やＣＤ（コンパクトディスク）が販売されている現実をふまえると、一台のプレーヤーで可能な限り様々なタイプの光ディスクに対して適切に情報の記録／再生ができるようにすることが望まれている。更に、光ピックアップ装置がノート型パソコン等に搭載されることも考慮すると、複数種の光ディスクに対する互換性を有するのみでは足らず、そのコンパクト化を更に推進する事が重要である。【０００４】
ここで、光ピックアップ装置において、単一の対物レンズを用いて異なる光ディスクの互換使用が可能になれば、コンパクト化を実現する上で好ましいと言える。ところが、高密度光ディスクの仕様を考慮すると、対物レンズの共通化を図ることは技術的に困難であると言える。例えば、ＢＤとＨＤとでは、保護基板厚が異なるにも関わらず、同じ波長の光束を使用するので、回折構造を用いて収差補正を行うことができず、対物レンズの共通化が難しいという実情がある。【０００５】
また、ＤＶＤ／ＣＤ互換レンズは既に実用化されているものの、ＣＤのＷＤ（ワーキングディスタンス）をある程度確保するために、互換レンズの外径が大きくなる傾向がある。結局、レンズ径が大きくなることで所望の大きさに入れ込むことができなくなるという問題が発生する。これに対しＤＶＤ用、ＣＤ用にそれぞれ専用レンズを用いれば、ＣＤ側ＷＤの制限に関わりなくＤＶＤ用レンズを小さくする事ができ、特にピックアップ装置の厚さ方向に対して薄型化が達成される。【０００６】
このように、光ピックアップ装置において、異なる光ディスクに対する「互換」と「コンパクト化」を両立させ、更に好ましい光学性能を得るためには、レンズを並列に並べて一体的に形成した複合光学素子を用いることが考えられる。このような複合光学素子は、個々に成形した２つのレンズを用いる場合に比べて、フランジ部を共通化できるため、レンズ間の間隔を狭められるというメリットがある。また、組み立て調整の簡易化や低コスト化を図ることができるというメリットもある。このような複合光学素子の例としては、特許文献１に記載されたものがある。
【特許文献１】特開平９−１１５１７０号公報
【発明の開示】
【発明が解決しようとする課題】
【０００７】
ところで、光ピックアップ装置において対物レンズは、一般的にアクチュエータによってトラッキング及びフォーカシング駆動される。しかるに、特許文献１に開示された複合光学素子は２つのレンズを有するので、その分だけ質量が増大し、それによりアクチュエータの負担が大きくなる。特に、光ディスクの種類に応じてワーキングディスタンスが異なる場合は、光ディスクに応じたワーキングディスタンスの範囲でレンズを駆動することが要求され、２つのレンズを有することによるアクチュエータの負担がより大きいものとなる。加えて、共振などの不具合が発生する恐れもでてくる。【０００８】
本発明は、かかる従来技術の問題点に鑑みてなされたものであり、アクチュエータの負担を軽減し、高精度な動作を行わせることができる光ピックアップ装置用のレンズユニット及び光ピックアップ装置を提供することを目的とする。
【課題を解決するための手段】
【０００９】
本明細書においては、情報の記録／再生用の光源として、青紫色半導体レーザや青紫色ＳＨＧレーザを使用する光ディスク（光情報記録媒体ともいう）を総称して「高密度光ディスク」といい、ＮＡ０．８５の対物光学系により情報の記録／再生を行い、保護層の厚さが０．１ｍｍ程度である規格の光ディスク（例えば、ＢＤ：ブルーレイディスク）の他に、ＮＡ０．６５乃至０．６７の対物光学系により情報の記録／再生を行い、保護層の厚さが０．６ｍｍ程度である規格の光ディスク（例えば、ＨＤ  ＤＶＤ：単にＨＤともいう）も含むものとする。また、このような保護層をその情報記録面上に有する光ディスクの他に、情報記録面上に数〜数十ｎｍ程度の厚さの保護膜を有する光ディスクや、保護層或いは保護膜の厚さが０の光ディスクも含むものとする。また、本明細書においては、高密度光ディスクには、情報の記録／再生用の光源として、青紫色半導体レーザや青紫色ＳＨＧレーザを使用する光磁気ディスクも含まれるものとする。【００１０】
更に、本明細書においては、ＤＶＤとは、ＤＶＤ−ＲＯＭ、ＤＶＤ−Ｖｉｄｅｏ、ＤＶＤ−Ａｕｄｉｏ、ＤＶＤ−ＲＡＭ、ＤＶＤ−Ｒ、ＤＶＤ−ＲＷ、ＤＶＤ＋Ｒ、ＤＶＤ＋ＲＷ等のＤＶＤ系列光ディスクの総称であり、ＣＤとは、ＣＤ−ＲＯＭ、ＣＤ−Ａｕｄｉｏ、ＣＤ−Ｖｉｄｅｏ、ＣＤ−Ｒ、ＣＤ−ＲＷ等のＣＤ系列光ディスクの総称である。記録密度は、ＢＤが最も高く、次いでＨＤ、ＤＶＤ、ＣＤの順に低くなる。【００１１】
請求の範囲第１項に記載の光ピックアップ装置用のレンズユニットは、単一もしくは複数の光源と、第１の対物レンズ部及び第２の対物レンズ部を一体的に形成したレンズユニットとを有し、前記光源からの光束を、前記第１の対物レンズ部を介して保護基板厚ｔ１の第１光情報記録媒体の情報記録面に集光させることにより、その情報記録面に対して情報の記録及び／又は再生が可能となっており、また前記光源からの光束を、前記第２の対物レンズ部を介して保護基板厚ｔ２の第２光情報記録媒体の情報記録面に集光させることにより、その情報記録面に対して情報の記録及び／又は再生が可能となっている光ピックアップ装置用のレンズユニットであって、
前記第１光情報記録媒体の必要開口数ＮＡ１が、前記第２光情報記録媒体の必要開口数ＮＡ２より大きくなっているか、又は前記第１の対物レンズ部に入射する光束の波長λ１が、前記第２の対物レンズ部に入射する光束の波長λ２より短い場合、以下の式を満たすことを特徴とする。
０．１  ≦  ＷＤ１  ≦  １．５                          （１）
０．１  ≦  ＷＤ２  ≦  １．５                          （２）
０．９・ＷＤ１  ≦  ＷＤ２  ≦  １．１・ＷＤ１          （３）
０．７６  ≦  ｆ２／ｆ１  ≦  １．４６                  （４）
但し
ＷＤ１（ｍｍ）：前記第１光情報記録媒体に対して情報記録及び／又は再生を行うために集光スポットを形成したときの、前記第１の対物レンズ部における第１光情報記録媒体側の面頂点から前記第１光情報記録媒体の表面までの距離
ＷＤ２（ｍｍ）：前記第２光情報記録媒体に対して情報記録及び／又は再生を行うために集光スポットを形成したときの、前記第２の対物レンズ部における第２光情報記録媒体側の面頂点から前記第２光情報記録媒体の表面までの距離
ｆ１（ｍｍ）：波長λ１の光束での前記第１の対物レンズ部の焦点距離
ｆ２（ｍｍ）：波長λ１の光束での前記第２の対物レンズ部の焦点距離
本発明によれば、情報記録及び／又は再生時における、第１の対物レンズ部における第１光情報記録媒体側の面頂点から第１光情報記録媒体の表面までの距離（ＷＤ１）と、第２の対物レンズ部における第２光情報記録媒体側の面頂点から第２光情報記録媒体の表面までの距離（ＷＤ２）とを略等しくすることによって、レンズユニットを駆動するアクチュエータの負担を抑えることができ、共振等を抑制して高精度な駆動を実現できる。尚、ＷＤ１とＷＤ２とを略等しくするとは、（３）式を満たすことをいう。【００１２】
更に、ＷＤ１及びＷＤ２を（１）、（２）式の下限以上とすることで、レンズユニットが第１光情報記録媒体及び第２光情報記録媒体と干渉することを抑制でき、（１）、（２）式の上限以下とすることで、コンパクトな光ピックアップ装置を提供できる。一方、ＷＤ１、ＷＤ２が（１）、（２）、（３）式の条件を満たしていても、必ずしも第１光情報記録媒体と第２光情報記録媒体の情報記録面に対して適切に集光できるとは限らない。そこで、本発明においては、（４）式を満たすようにすることで、ＷＤ１≒ＷＤ２の場合でも、第１の対物レンズ部を通過した光束により第１光情報記録媒体の情報記録面に適切な集光スポットを形成でき、且つ第２の対物レンズ部を通過した光束により第２光情報記録媒体の情報記録面に適切な集光スポットを形成できるよう、ｆ２／ｆ１の値を規定している。【００１３】
第１の対物レンズ部は対向する第１の光学面と第２の光学面を有し、第１の光学面の方が、第２の光学面よりも曲率が大きい。第１の光学面が光源側となり、第２の光学面が光情報記録媒体側となることが好ましい。第２の対物レンズも同様に対向する第１の光学面と第２の光学面を有し、第１の光学面の方が、第２の光学面よりも曲率が大きい。【００１４】
尚、本明細書における「ワーキングディスタンス（ＷＤ１、ＷＤ２）」とは、光情報記録媒体に対して情報の記録／再生を行っている際の、対物レンズ部の第２の光学面の面頂点から光情報記録媒体までの光軸方向の距離をいう。より具体的には、図２でＷＤ１、ＷＤ２として示されている距離である。但し、実際の光学素子から対物レンズ部の面頂点の位置を決定するのが困難な場合には、光学素子を光ピックアップ装置のボビンに取り付ける際に、ボビンに接する光学素子のフランジ部の基準面（ボビンに接している面）から光軸方向で最も離れている第１の対物レンズ部の第２の光学面の場所を面頂点とし、かかる面頂点から第１光情報記録媒体までの距離をＷＤ１とし、同様に基準面から光軸方向で最も離れている第２の対物レンズ部の第２の光学面の場所を面頂点とし、かかる面頂点から第２光情報記録媒体までの距離をＷＤ２としてもよい。【００１５】
本発明の「第１の対物レンズ部と第２の対物レンズ部とを一体的に形成した光学素子」とは、第１の対物レンズ部及び第２の対物レンズ部が融合している場合（例えば、第１の対物レンズ部及び第２の対物レンズ部とを有する光学素子を射出成形による一体成形などにより得る場合）だけでなく、第１の対物レンズ部を有する光学素子と第２の対物レンズ部を有する光学素子とを別々に成形し、後で嵌合させたり、接着したり係合することなどによって一体化した光学素子であっても良い。【００１６】
本発明において、第１光情報記録媒体の必要開口数ＮＡ１が、第２光情報記録媒体の必要開口数ＮＡ２より大きくなっているか、又は第１の対物レンズ部に入射する光束の波長λ１が、第２の対物レンズ部に入射する光束の波長λ２より短い。従って、本発明が適用される第１光情報記録媒体と第２光情報記録媒体の組み合わせとしては、ＤＶＤとＣＤ、ＢＤとＤＶＤ、ＢＤとＣＤ、ＨＤとＣＤ（ＮＡ１＞ＮＡ２であり、λ１＜λ２である例）や、ＢＤとＨＤ（λ１＝λ２であるが、ＮＡ１＞ＮＡ２である例）や、ＨＤとＤＶＤ（ＮＡ１＝ＮＡ２であるが、λ１＜λ２である例）などが挙げられる。なお、各光情報記録媒体におけるＮＡ、λの好ましい値は、以下である。【００１７】
ＢＤ  ：ＮＡ＝０．８〜０．９、λ＝３８０〜４２０ｎｍ
（特に好ましくは、ＮＡ＝０．８５、λ＝４０５ｎｍ）
ＨＤ  ：ＮＡ＝０．５〜０．７、λ＝３８０〜４２０ｎｍ
（特に好ましくは、ＮＡ＝０．６５、λ＝４０５ｎｍ）
ＤＶＤ：ＮＡ＝０．５〜０．７、λ＝６４０〜６８０ｎｍ
（特に好ましくは、ＮＡ＝０．６、λ＝６５５ｎｍ）
ＣＤ  ：ＮＡ＝０．４〜０．５５、λ＝７４０〜８２０ｎｍ
（特に好ましくは、ＮＡ＝０．４５又は０．５１、λ＝７８０ｎｍ）
尚、光ピックアップ装置の光源について以下に述べる。例えば、第１光情報記録媒体がＢＤで、第２光情報記録媒体がＨＤの場合の光ピックアップ装置は、波長３８０〜４２０ｎｍの単一光源を有していればよい。一方、第１光情報記録媒体がＤＶＤで、第２光情報記録媒体がＣＤの場合の光ピックアップ装置は、波長６４０〜６８０ｎｍの第１光源と、波長７４０〜８２０ｎｍの第２光源とを有している必要がある。このように、使用する光情報記録媒体の種類に応じて、単一光源だったり複数光源だったりする。【００１８】
請求の範囲第２項に記載の光ピックアップ装置用のレンズユニットは、請求の範囲第１項に記載の発明において、以下の式、
０．４３  ≦  ｄ１／ｆ１  ≦  １．４５                  （５）
但し
ｄ１（ｍｍ）：前記第１の対物レンズ部の軸上厚さ
を満たすことを特徴とする。【００１９】
なお、対物レンズ部の軸上厚さとは、対物レンズ部の光軸上における厚みをいう。より具体的には、例えば、図２に示されるｄ１やｄ２のことをいう。【００２０】
請求の範囲第３項に記載の光ピックアップ装置用のレンズユニットは、請求の範囲第１項又は第２項に記載の発明において、以下の式、
０．３４  ≦  ｄ２／ｆ２  ≦  ０．９９                  （６）
但し
ｄ２（ｍｍ）：前記第２の対物レンズ部の軸上厚さ
を満たすことを特徴とする。【００２１】
ｄ１／ｆ１とｄ２／ｆ２のうちの少なくとも一方を、上記の範囲とすることでＷＤ１とＷＤ２を略同一にすることが容易になる。【００２２】
請求の範囲第４項に記載の光ピックアップ装置用のレンズユニットは、請求の範囲第１項〜第３項のいずれかに記載の発明において、以下の式、
０．２４  ≦  ＮＡ１／ｆ１  ≦  ０．８５                  （７）
を満たすことを特徴とする。【００２３】
請求の範囲第５項に記載の光ピックアップ装置用のレンズユニットは、請求の範囲第１項〜第４項のいずれかに記載の発明において、以下の式、
０．１８  ≦  ＮＡ２／ｆ２  ≦  ０．７５                  （８）
を満たすことを特徴とする。【００２４】
なお、式（７）、（８）におけるＮＡ１、ＮＡ２は、実際の第１、第２の対物レンズ部の像側開口数とする事が好ましいが、測定が困難な場合は、便宜上、上述した第１光情報記録媒体及び第２光情報記録媒体の必要開口数としてもよい。【００２５】
請求の範囲第６項に記載の光ピックアップ装置用のレンズユニットは、請求の範囲第１項〜第５項のいずれかに記載の発明において、前記第１光情報記録媒体はＤＶＤであり、前記第２光情報記録媒体はＣＤであり、以下の式、
０．３  ≦  ＷＤ１  ≦  １．５                    （１＊）
０．３  ≦  ＷＤ２  ≦  １．５                    （２＊）
１．０１  ≦  ｆ２／ｆ１  ≦  １．２９            （４＊）
を満たすことを特徴とする。【００２６】
この条件式を満たすことにより、ＷＤ１とＷＤ２を略等しくできるだけでなく、第１の対物レンズ部と第２の対物レンズ部の有効径も略等しくでき、コリメートレンズ等の共通化を図ることができる。【００２７】
以下においては、光情報記録媒体の種類ごとに、特に好ましい数値範囲を規定する。先ず、上述の請求の範囲第６項及び以下の請求の範囲第７項〜第１１項では、第１光情報記録媒体がＤＶＤであり、第２光情報記録媒体がＣＤである場合に、特に好ましい数値範囲を規定している。ＷＤを略同一にしつつ、ＤＶＤ及びＣＤの情報記録面上に集光スポットを形成するために、条件式（１＊）、（２＊）、（４＊）及び（３）を満たすことが好ましい。【００２８】
請求の範囲第７項に記載の光ピックアップ装置用のレンズユニットは、請求の範囲第６項に記載の発明において、以下の式、
０．４  ≦  ＷＤ１  ≦  １．０                    （１＊＊）
０．４  ≦  ＷＤ２  ≦  １．０                    （２＊＊）
１．０１  ≦  ｆ２／ｆ１  ≦  １．２９            （４＊＊）
を満たすことを特徴とする。【００２９】
請求の範囲第８項に記載の光ピックアップ装置用のレンズユニットは、請求の範囲第６項または第７項に記載の発明において、以下の式、
０．４３  ≦  ｄ１／ｆ１  ≦  １．１８            （５＊）
但し
ｄ１（ｍｍ）：第１の対物レンズ部の軸上厚さ
を満たすことを特徴とする。【００３０】
請求の範囲第９項に記載の光ピックアップ装置用のレンズユニットは、請求の範囲第６項〜第８項のいずれかに記載の発明において、以下の式、
０．３４  ≦  ｄ２／ｆ２  ≦  ０．６５              （６＊）
但し
ｄ２（ｍｍ）：第２の対物レンズ部の軸上厚さ
を満たすことを特徴とする。【００３１】
請求の範囲第１０項に記載の光ピックアップ装置用のレンズユニットは、請求の範囲第６項〜第９項のいずれかに記載の発明において、以下の式、
０．２４  ≦  ＮＡ１／ｆ１  ≦  ０．７７            （７＊）
を満たすことを特徴とする。【００３２】
請求の範囲第１１項に記載の光ピックアップ装置用のレンズユニットは、請求の範囲第６項〜第１０項のいずれかに記載の発明において、以下の式、
０．１８  ≦  ＮＡ２／ｆ２  ≦  ０．４１            （８＊）
を満たすことを特徴とする。【００３３】
請求の範囲１２に記載の光ピックアップ装置用のレンズユニットは、請求の範囲第１項〜第５項のいずれかに記載の発明において、前記第１光情報記録媒体はＢＤであり、前記第２光情報記録媒体はＨＤであり、以下の式、
０．１  ≦  ＷＤ１  ≦  １．０                          （１＊＊＊）
０．１  ≦  ＷＤ２  ≦  １．０                          （２＊＊＊）
０．７７  ≦  ｆ２／ｆ１  ≦  １．２３                  （４＊＊＊）
を満たすことを特徴とする。【００３４】
次に、上述の請求の範囲第１２項及び以下の請求の範囲第１３項〜第１７項では、第１光情報記録媒体がＢＤであり、第２光情報記録媒体がＨＤである場合に、特に好ましい数値範囲を規定している。ＷＤを略同一にしつつ、ＢＤ及びＨＤの情報記録面上に集光スポットを形成するために、条件式（１＊＊＊）、（２＊＊＊）、（４＊＊＊）及び（３）を満たすことが好ましい。【００３５】
請求の範囲第１３項に記載の光ピックアップ装置用のレンズユニットは、請求の範囲第１２項に記載の発明において、以下の式、
０．５  ≦  ＷＤ１  ≦  ０．８                        （１＊＊＊＊）
０．５  ≦  ＷＤ２  ≦  ０．８                        （２＊＊＊＊）
０．７７  ≦  ｆ２／ｆ１  ≦  １．２３                （４＊＊＊＊）
を満たすことを特徴とする。【００３６】
請求の範囲第１４項に記載の光ピックアップ装置用のレンズユニットは、請求の範囲第１２項または第１３項に記載の発明において、以下の式、
１．１５  ≦  ｄ１／ｆ１  ≦  １．４４                  （５＊＊）
但し
ｄ１（ｍｍ）：前記第１の対物レンズ部の軸上厚さ
を満たすことを特徴とする。【００３７】
請求の範囲第１５項に記載の光ピックアップ装置用のレンズユニットは、請求の範囲第１２項〜第１４項のいずれかに記載の発明において、以下の式、
０．６９  ≦  ｄ２／ｆ２  ≦  １．２０                  （６＊＊）
但し
ｄ２（ｍｍ）：前記第２の対物レンズ部の軸上厚さ
を満たすことを特徴とする。【００３８】
請求の範囲第１６項に記載の光ピックアップ装置用のレンズユニットは、請求の範囲第１２項〜第１５項のいずれかに記載の発明において、以下の式、
０．３５  ≦  ＮＡ１／ｆ１  ≦  ０．８５                  （７＊＊）
を満たすことを特徴とする。【００３９】
請求の範囲第１７項に記載の光ピックアップ装置用のレンズユニットは、請求の範囲第１２項〜第１６項のいずれかに記載の発明において、以下の式、
０．２４  ≦  ＮＡ２／ｆ２  ≦  ０．７５                  （８＊＊）
を満たすことを特徴とする。【００４０】
また、第１光情報記録媒体がＢＤであり、第２光情報記録媒体がＤＶＤである場合は、以下の式、
０．２  ≦  ＷＤ１（ｍｍ）  ≦  １．０            （１＊＊＊＊＊）
０．２  ≦  ＷＤ２（ｍｍ）  ≦  １．０            （２＊＊＊＊＊）
０．７９  ≦  ｆ２／ｆ１  ≦  １．０２            （４＊＊＊＊＊）
及び式（３）を満たすことが好ましい。【００４１】
また、以下の式の少なくとも１つを満たすことが好ましい。
１．１５  ≦  ｄ１／ｆ１  ≦  １．４４              （５＊＊＊）
０．７０  ≦  ｄ２／ｆ２  ≦  ０．９９              （６＊＊＊）
０．３５  ≦  ＮＡ１／ｆ１  ≦  ０．８５            （７＊＊＊）
０．２８  ≦  ＮＡ２／ｆ２  ≦  ０．６４            （８＊＊＊）
より好ましくは、（５＊＊＊）、（６＊＊＊）、（７＊＊＊）、（８＊＊＊）の４つの式を満たすことが好ましい。【００４２】
また、第１光情報記録媒体がＨＤであり、第２光情報記録媒体がＤＶＤである場合は、以下の式、
０．２  ≦  ＷＤ１（ｍｍ）  ≦  １．５            （１＊＊＊＊＊＊）
０．２  ≦  ＷＤ２（ｍｍ）  ≦  １．５            （２＊＊＊＊＊＊）
０．９６  ≦  ｆ２／ｆ１  ≦  １．０３            （４＊＊＊＊＊＊）
及び式（３）を満たすことが好ましい。【００４３】
また、以下の式の少なくとも１つを満たすことが好ましい。
０．５０  ≦  ｄ１／ｆ１  ≦  １．０４                （５＊＊＊＊）
０．５０  ≦  ｄ２／ｆ２  ≦  ０．９８                （６＊＊＊＊）
０．２４  ≦  ＮＡ１／ｆ１  ≦  ０．５７              （７＊＊＊＊）
０．２４  ≦  ＮＡ２／ｆ２  ≦  ０．５９              （８＊＊＊＊）
より好ましくは、（５＊＊＊＊）、（６＊＊＊＊）、（７＊＊＊＊）、（８＊＊＊＊）の４つの式を満たすことが好ましい。【００４４】
また、第１光情報記録媒体がＨＤであり、第２光情報記録媒体がＣＤである場合は、以下の式、
０．２  ≦  ＷＤ１（ｍｍ）  ≦  １．５              （１＊＊＊＊＊＊＊）
０．２  ≦  ＷＤ２（ｍｍ）  ≦  １．５              （２＊＊＊＊＊＊＊）
１．０７  ≦  ｆ２／ｆ１  ≦  １．２４              （４＊＊＊＊＊＊＊）
及び式（３）を満たすことが好ましい。【００４５】
また、以下の式の少なくとも１つを満たすことが好ましい。
０．５０  ≦  ｄ１／ｆ１  ≦  １．０４                  （５＊＊＊＊＊）
０．３４  ≦  ｄ２／ｆ２  ≦  ０．５９                  （６＊＊＊＊＊）
０．２４  ≦  ＮＡ１／ｆ１  ≦  ０．５７                （７＊＊＊＊＊）
０．１８  ≦  ＮＡ２／ｆ２  ≦  ０．３８                （８＊＊＊＊＊）
より好ましくは、（５＊＊＊＊＊）、（６＊＊＊＊＊）、（７＊＊＊＊＊）、（８＊＊＊＊＊）の４つの式を満たすことが好ましい。【００４６】
請求の範囲第１８項に記載の光ピックアップ装置用のレンズユニットは、請求の範囲第１項〜第１７項のいずれかに記載の発明において、以下の式、
−０．０２  ＜  ｍ１  ＜  ０．０２                    （９）
−０．０２  ＜  ｍ２  ＜  ０．０２                    （１０）
但し
ｍ１：前記光源から出射され、前記第１の対物レンズ部へ入射する光束の倍率
ｍ２：前記光源から出射され、前記第２の対物レンズ部へ入射する光束の倍率
を満たすことを特徴とする。【００４７】
本発明によって、平行光束又は略平行光束を、第１及び第２の対物レンズ部に入射させることができるため好ましい。特に平行光束（ｍ１、ｍ２＝０）を第１及び第２の対物レンズ部に入射させることが好ましい。但し、本発明は、平行光束が対物レンズ部に入射する態様に限定されず、発散光束や収束光束が対物レンズ部に入射する態様にも適用可能である。【００４８】
請求の範囲第１９項に記載の光ピックアップ装置用のレンズユニットは、請求の範囲第１項〜第１８項のいずれかに記載の発明において、前記第１の対物レンズ部と前記第２の対物レンズの少なくとも一方は、非球面の屈折面の光学面のみを有することを特徴とする。【００４９】
請求の範囲第２０項に記載の光ピックアップ装置用のレンズユニットは、請求の範囲第１９項に記載の発明において、前記第１の対物レンズ部と前記第２の対物レンズ部が共に、非球面の屈折面の光学面のみを有することを特徴とする。【００５０】
本発明のレンズユニットは、第１の対物レンズ部と第２の対物レンズ部は、共に専用レンズ（一つの対物レンズ部で或る波長を用いる光情報記録媒体一種のみに対応する対物レンズ）であってもよいし、共に互換レンズ（一つの対物レンズ部で複数の種類の光情報記録媒体に対応する対物レンズ）であってもよいし、互換レンズと専用レンズの組み合わせであってもよい。特に好ましくは、第１の対物レンズ部及び第２の対物レンズ部が共に専用レンズである場合に、本発明の条件式を満たすことによって達成できる効果がより顕著となる。第１の対物レンズ部又は第２の対物レンズ部が、専用レンズである場合は、第１の光学面及び第２の光学面は共に非球面屈折面であることが好ましいが、温度変化時や波長変化時に発生する収差を低減させるような光路差付与構造を有効径内に設けてもよいし、有効径外の光束をフレアにするための光路差付与構造を有効径外に設けてもよい。第１の対物レンズ部か第２の対物レンズ部が互換レンズである場合は、当該対物レンズ部が対応している光情報記録媒体のなかで最も記録密度が高い光情報記録媒体を、第１光情報記録媒体及び第２光情報記録媒体とみなすものとする。例えば、第１の対物レンズ部がＢＤとＨＤの互換レンズであり、第２の対物レンズ部がＤＶＤとＣＤの互換レンズである場合は、第１の光情報記録媒体がＢＤであり、第２の光情報記録媒体がＤＶＤであると考え、条件式（１＊＊＊＊）、（２＊＊＊＊）、（３）、（４＊＊＊＊）、（５＊＊＊）、（６＊＊＊）、（７＊＊＊）、（８＊＊＊）を満たすことが好ましい。【００５１】
請求の範囲第２１項に記載の光ピックアップ装置用のレンズユニットは、請求の範囲第１項〜第２０項のいずれかに記載の発明において、前記第１の対物レンズ部と前記第２の対物レンズ部とは一体成形により、一体的に形成されていることを特徴とする。【００５２】
請求の範囲第２２項に記載の光ピックアップ装置用のレンズユニットは、請求の範囲第１項〜第２０項のいずれかに記載の発明において、前記第１の対物レンズ部と前記第２の対物レンズ部とを係合して一体的に形成していることを特徴とする。【００５３】
第１の対物レンズ部と第２の対物レンズ部とを係合して一体的に形成しているレンズユニットの例を図３に示す。第１の例を、図３（ａ）に示す。プラスチック製の第２の対物レンズ部ＯＬ２が、その矩形板状のフランジ部ＦＬ２に段差部ＳＴを有する開口ＨＬを形成しており、開口ＨＬ内の段差部ＳＴに、フランジ部ＦＬ１を保持されるようにして、ガラス製又はプラスチック製の第１の対物レンズ部ＯＬ１が光軸方向から組み付けられ、接着等により一体化されて、第１の対物レンズ部ＯＬ１と第２の対物レンズ部ＯＬ２が並列になった光学素子ＯＥが形成される。【００５４】
別の例を、図３（ｂ）に示す。プラスチック製の第２の対物レンズ部ＯＬ２が、その矩形板状のフランジ部ＦＬ２に段差部を有する切欠ＣＴ２を形成しており、切欠ＣＴ２内の段差部に、フランジ部ＦＬ１を保持されるようにして、ガラス製又はプラスチック製の第１の対物レンズ部ＯＬ１が光軸直交方向から組み付けられ、接着等により一体化されて、第１の対物レンズ部ＯＬ１と第２の対物レンズ部ＯＬ２が並列になった光学素子ＯＥが形成される。【００５５】
尚、図３（ｃ）に示すように、開口ＨＬ又は切欠ＣＴ２内に段差を形成することなく、第１の対物レンズＯＬ１のフランジ部ＦＬ１は、フランジ部ＦＬ２の上面で支持されても良い。或いは、図示していないが、ガラス製又はプラスチック製の第１の対物レンズ部ＯＬ１と、プラスチック製の第２の対物レンズ部ＯＬ２とを、別部材である保持部材に組み付けることで一体化しても良い。何れの場合も、保持部材が開口を有し、そこに対物レンズ部を嵌め込むように配置することが好ましい。【００５６】
尚、第１の対物レンズ部又は第２の対物レンズ部のいずれかをガラスレンズとし、他方をプラスチックレンズとしても良いし、第１の対物レンズ部及び第２の対物レンズ部を共にプラスチックレンズ又はガラスレンズとしても良い。【００５７】
また、第１の対物レンズ部、第２の対物レンズ部及び保持部材の全てを別部材とし、平板状の保持部材が、第１の対物レンズ部と第２の対物レンズ部とを保持、固定することにより、レンズユニットを構成するようにしてもよい。この態様も「第１の対物レンズ部と第２の対物レンズ部とを係合して一体的に形成している」一例として考えられる。【００５８】
請求の範囲第２３項に記載の光ピックアップ装置用のレンズユニットは、請求の範囲第１項〜第２２項のいずれかに記載の発明において、前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、前記第１の対物レンズ部の前記第２の光学面の面頂点と、前記第２の対物レンズ部の前記第２の光学面の面頂点の光軸方向の高さが等しいことを特徴とする。【００５９】
請求の範囲第２４項に記載の光ピックアップ装置用のレンズユニットは、請求の範囲第１項〜第２３項のいずれかに記載の発明において、前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、以下の条件式を満たすことを特徴とする。
１．０  ≦  ｛（Φ１１／ＳＡＧ１１）×（Φ１２／ＳＡＧ１２）｝／｛（Φ２１／ＳＡＧ２１）×（Φ２２／ＳＡＧ２２）｝  ≦  １．６        （１１）
Φ１１（ｍｍ）：前記第１の対物レンズ部の前記第１の光学面の有効半径
Φ１２（ｍｍ）：前記第１の対物レンズ部の前記第２の光学面の有効半径
Φ２１（ｍｍ）：前記第２の対物レンズ部の前記第１の光学面の有効半径
Φ２２（ｍｍ）：前記第２の対物レンズ部の前記第２の光学面の有効半径
ＳＡＧ１１（ｍｍ）：前記第１の対物レンズ部の前記第１の光学面のサグ量
ＳＡＧ１２（ｍｍ）：前記第１の対物レンズ部の前記第２の光学面のサグ量
ＳＡＧ２１（ｍｍ）：前記第２の対物レンズ部の前記第１の光学面のサグ量
ＳＡＧ２２（ｍｍ）：前記第２の対物レンズ部の前記第２の光学面のサグ量
これにより、コマ収差を抑えて像高特性を良好なものとできる。【００６０】
ここで、有効半径とサグ量について説明する。図８は、対物レンズ部のＯＬの断面図であり、光源側の光学面（第１の光学面）をＳ１、光ディスク側の光学面（第２の光学面）をＳ２とする。図８において、対物レンズ部ＯＬに光束が入射したときに、光学面Ｓ１に入射する光束の外縁半径を第１の光学面の有効半径φ１とし、光学面Ｓ２から出射する光束の外縁半径を第２の光学面の有効半径φ２とし、光学面Ｓ１の面頂点Ｐ１から光学面Ｓ１に入射する光束の外縁までの光軸方向距離を第１の光学面のサグ量ＳＡＧ１とし、光学面Ｓ２の面頂点Ｐ２から光学面Ｓ２より出射する光束の外縁までの光軸方向距離を第２の光学面のサグ量ＳＡＧ２とする。但し、サグ量は、光源から光ディスク側に向かう方向を正とする。従って、図８に示す例では、ＳＡＧ１は正の値、ＳＡＧ２は負の値となる。【００６１】
請求の範囲第２５項に記載の光ピックアップ装置用のレンズユニットは、請求の範囲第６項〜第１１項のいずれかに記載の発明において、前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、前記第１光情報記録媒体はＤＶＤであり、前記２光情報記録媒体はＣＤであり、以下の条件式を満たすことを特徴とする。
１．１  ≦｛（Φ１１／ＳＡＧ１１）×（Φ１２／ＳＡＧ１２）｝／｛（Φ２１／ＳＡＧ２１）×（Φ２２／ＳＡＧ２２）｝≦１．６          （１２）
Φ１１（ｍｍ）：前記第１の対物レンズ部の前記第１の光学面の有効半径
Φ１２（ｍｍ）：前記第１の対物レンズ部の前記第２の光学面の有効半径
Φ２１（ｍｍ）：前記第２の対物レンズ部の前記第１の光学面の有効半径
Φ２２（ｍｍ）：前記第２の対物レンズ部の前記第２の光学面の有効半径
ＳＡＧ１１（ｍｍ）：前記第１の対物レンズ部の前記第１の光学面のサグ量
ＳＡＧ１２（ｍｍ）：前記第１の対物レンズ部の前記第２の光学面のサグ量
ＳＡＧ２１（ｍｍ）：前記第２の対物レンズ部の前記第１の光学面のサグ量
ＳＡＧ２２（ｍｍ）：前記第２の対物レンズ部の前記第２の光学面のサグ量
これにより、コマ収差を抑えて像高特性を良好なものとできる。【００６２】
請求の範囲第２６項に記載の光ピックアップ装置用のレンズユニットは、請求の範囲第１２項〜第１７項のいずれかに記載の発明において、前記第１の対物レンズ部は互いに対向する第１の光学面と第２の光学面を有し、前記第２の対物レンズ部は互いに対向する第１の光学面と第２の光学面を有し、前記第１の対物レンズ部及び前記第２の対物レンズ部の第１の光学面は、前記第１の対物レンズ部及び前記第２の対物レンズ部の第２の光学面よりも曲率が大きく、前記第１光情報記録媒体はＢＤであり、前記第２光情報記録媒体はＨＤであり、以下の条件式を満たすことを特徴とする。
１．０  ≦｛（Φ１１／ＳＡＧ１１）×（Φ１２／ＳＡＧ１２）｝／｛（Φ２１／ＳＡＧ２１）×（Φ２２／ＳＡＧ２２）｝  ≦  １．２      （１３）
Φ１１（ｍｍ）：前記第１の対物レンズ部の前記第１の光学面の有効半径
Φ１２（ｍｍ）：前記第１の対物レンズ部の前記第２の光学面の有効半径
Φ２１（ｍｍ）：前記第２の対物レンズ部の前記第１の光学面の有効半径
Φ２２（ｍｍ）：前記第２の対物レンズ部の前記第２の光学面の有効半径
ＳＡＧ１１（ｍｍ）：前記第１の対物レンズ部の前記第１の光学面のサグ量
ＳＡＧ１２（ｍｍ）：前記第１の対物レンズ部の前記第２の光学面のサグ量
ＳＡＧ２１（ｍｍ）：前記第２の対物レンズ部の前記第１の光学面のサグ量
ＳＡＧ２２（ｍｍ）：前記第２の対物レンズ部の前記第２の光学面のサグ量
これにより、コマ収差を抑えて像高特性を良好なものとできる。【００６３】
請求の範囲第２４項〜第２６項に記載の発明によれば、（１１）〜（１３）式のいずれかを満たすことで、正弦条件を満足するようになり、コマ収差を抑えて像高特性を良好にすることが可能となる。【００６４】
請求の範囲第２７項に記載の光ピックアップ装置は、請求の範囲第１項〜第２６項のいずれかに記載の光ピックアップ装置用のレンズユニットを用いたことを特徴とする。
【発明の効果】
【００６５】
本発明によれば、アクチュエータの負担を軽減し、高精度な動作を行わせることができる光ピックアップ装置用のレンズユニット及び光ピックアップ装置を提供することができる。
【図面の簡単な説明】
【００６６】
【図１】光ピックアップ装置ＰＵ１の概略構成を示す図である。
【図２】本実施の形態で用いるレンズユニットの断面図であり、ＤＶＤ使用時（ａ）とＣＤ使用時（ｂ）とを示している。
【図３】第１の対物レンズ部と第２の対物レンズ部とを係合して一体的に形成しているレンズユニットの例を示す図である。
【図４】実施例１にかかるＤＶＤ用の対物レンズ部（ａ）及びＣＤ用の対物レンズ部（ｂ）の断面図である。
【図５】実施例４にかかるＤＶＤ用の対物レンズ部（ａ）及びＣＤ用の対物レンズ部（ｂ）の断面図である。
【図６】実施例１１にかかるＤＶＤ用の対物レンズ部（ａ）及びＣＤ用の対物レンズ部（ｂ）の断面図である。
【図７】実施例１６にかかるＤＶＤ用の対物レンズ部（ａ）及びＣＤ用の対物レンズ部（ｂ）の断面図である。
【図８】対物レンズ部の断面図である。
【符号の説明】
【００６７】
ＡＣ１  ２軸アクチュエータ
ＡＣ２  １軸アクチュエータ
ＢＳ  ビームスプリッタ
ＣＯＬ１  第１コリメータ
ＣＯＬ２  第２コリメータ
ＨＬ１  第１のホログラムレーザ
ＨＬ２  第２のホログラムレーザ
ＯＬ１  第１の対物レンズ部
ＯＬ２  第２の対物レンズ部
ＰＬ１  保護基板
ＰＬ２  保護基板
ＰＵ１  光ピックアップ装置
ＲＬ１  情報記録面
ＲＬ２  情報記録面
【発明を実施するための最良の形態】
【００６８】
以下、本発明の実施の形態について図面を用いて説明する。以下の実施形態においては、第１の光情報記録媒体がＤＶＤであり、第２の光情報記録媒体がＣＤである場合を示す。尚、本実施の形態にかかる光ピックアップ装置ＰＵ１は、光ディスクドライブ装置に組み込むことが可能である。図１は、光ピックアップ装置ＰＵ１の概略構成を示す図である。【００６９】
光ピックアップ装置ＰＵ１は、ＤＶＤに対して情報の記録／再生を行う場合に発光されλ１＝６５５ｎｍのレーザ光束（第１光束）を射出する第１の光源と、光検出器を一体化した発光部・受光部一体型光源ユニットである第１のホログラムレーザＨＬ１と、ＣＤに対して情報の記録／再生を行う場合に発光されλ２＝７８５ｎｍのレーザ光束（第２光束）を射出する第２の光源と、光検出器とを一体化した発光部・受光部一体型光源ユニットである第２のホログラムレーザＨＬ２を有している。【００７０】
又、保持部材Ｈにより保持されるレンズユニットＯＥは、それぞれ非球面屈折面の光学面のみを備えた第１の対物レンズ部ＯＬ１と第２の対物レンズ部ＯＬ２とを有し、図２に示すように、第１の対物レンズ部ＯＬ１のワーキングディスタンスＷＤ１（第１の対物レンズ部ＯＬ１の光ディスク側の第２光学面Ｓ２とＤＶＤとの距離）が、第２の対物レンズ部ＯＬ２のワーキングディスタンスＷＤ２（第２の対物レンズ部ＯＬ２の光ディスク側の第２光学面Ｓ２とＣＤとの距離）と略等しくなっている。また、図２（ａ）、（ｂ）に示すように、レンズユニットＯＥにおいて、第１の対物レンズ部ＯＬ１の第２の光学面の面頂点Ｐ１２と、第２の対物レンズ部ＯＬ２の第２の光学面の面頂点Ｐ２２の光軸方向の高さが等しい。【００７１】
光ピックアップ装置ＰＵ１において、ＤＶＤに対して情報の記録／再生を行う場合には、図１に示す位置に保持部材Ｈを移動させ、第１の対物レンズ部ＯＬ１を光路内に挿入し、第１のホログラムレーザＨＬ１の第１の光源を発光させる。第１の光源から射出された発散光束は、図１において実線でその光線経路を描いたように、第１コリメータＣＯＬ１により平行光束に変換され、ビームスプリッタＢＳを通過し、第１の対物レンズ部ＯＬ１に平行光の状態で入射した後、ＤＶＤの保護基板ＰＬ１を介して情報記録面ＲＬ１上に形成されるスポットとなる。第１の対物レンズ部ＯＬ１を有するレンズユニットＯＥは、２軸アクチュエータＡＣ１によって保持部材Ｈごと駆動されフォーカシングやトラッキングが行われる。【００７２】
情報記録面ＲＬ１で情報ピットにより変調された反射光束は、再び第１の対物レンズ部ＯＬ１、ビームスプリッタＢＳ及び第１コリメータＣＯＬ１を透過した後、第１のホログラムレーザＨＬ１の光検出器に入射する。そして、光検出器の出力信号を用いてＤＶＤに記録された情報を読み取ることができる。【００７３】
光ピックアップ装置ＰＵ１において、ＣＤに対して情報の記録／再生を行う場合には、図１に示す位置から保持部材Ｈを移動させ、第２の対物レンズ部ＯＬ２を光路内に挿入し、第２のホログラムレーザＨＬ２の第２の光源を発光させる。第２の光源から射出された発散光束は、図１において点線でその光線経路を描いたように、第２コリメータＣＯＬ２により平行光束に変換され、ビームスプリッタＢＳで反射され、第２の対物レンズ部ＯＬ２に平行光の状態で入射した後、ＣＤの保護基板ＰＬ２を介して情報記録面ＲＬ２上に形成されるスポットとなる。第２の対物レンズ部ＯＬ２を有するレンズユニットＯＥは、２軸アクチュエータＡＣ１によって保持部材Ｈごと駆動されフォーカシングやトラッキングが行われる。【００７４】
情報記録面ＲＬ２で情報ピットにより変調された反射光束は、再び第２の対物レンズ部ＯＬ２を通過し、ビームスプリッタＢＳで反射され、第２コリメータＣＯＬ２を透過した後、第２のホログラムレーザＨＬ２の光検出器に入射する。そして、光検出器の出力信号を用いてＣＤに記録された情報を読み取ることができる。これ以外にも、ＢＤ、ＨＤ、ＤＶＤ、ＣＤの４種類の光ディスクのいずれかに対して集光スポットを形成できる対物レンズ部は、レンズニットにおいて任意の組み合わせとすることが可能である。
（実施例）
以下、上述したレンズユニットとして好適な実施例について説明する。以下の対物レンズ部は、全て専用レンズであり、非球面屈折面を有し、光路差付与構造を有さないレンズである。【００７５】
まず、表１、表２に、上述の実施形態と同様に、ＣＤ用の第２の対物レンズ部とＤＶＤ用の第１の対物レンズ部のレンズデータを示す。また、本実施例において、光束は全て平行光束として対物レンズ部に入射させ、ＣＤ及びＤＶＤを良好に記録／再生できる条件を検討している。表１、表２に拠れば、第１の対物レンズ部及び第２の対物レンズ部におけるワーキングディスタンスＷＤ１及びＷＤ２を同じ値とし、ワーキングディスタンスＷＤを０．１〜１．０（ｍｍ）の範囲で変更したときに、ｆ２／ｆ１は１．０１１〜１．４６０であり、ｄ２／ｆ２は０．３４４〜０．６４１であり、ｄ１／ｆ１は０．４３５〜１．１７１であり、ＮＡ２／ｆ２は０．２１９〜０．４０８であり、ＮＡ１／ｆ１は０．２８３〜０．７６１となる。表１に示す実施例１（ＷＤ＝０．１ｍｍ）にかかるＤＶＤ用の対物レンズ部の断面図を図４（ａ）に、ＣＤ用の対物レンズ部の断面図を図４（ｂ）に示す。表１に示す実施例４（ＷＤ＝０．３ｍｍ）にかかるＤＶＤ用の対物レンズ部の断面図を図５（ａ）に、ＣＤ用の対物レンズ部の断面図を図５（ｂ）示す。表２に示す実施例１１（ＷＤ＝０．５ｍｍ）にかかるＤＶＤ用の対物レンズ部の断面図を図６（ａ）に、ＣＤ用の対物レンズ部の断面図を図６（ｂ）に示す。表２に示す実施例１６（ＷＤ＝１．０ｍｍ）にかかるＤＶＤ用の対物レンズ部の断面図を図７（ａ）に、ＣＤ用の対物レンズ部の断面図を図７（ｂ）に示す。なお、各図において、対物レンズ部の後方にある平行平面は保護基板である。【００７６】
【表１】
2008117640.tif 000003
【００７７】
【表２】
2008117640.tif 000004
【００７８】
次に、表３、表４に、ＣＤ用の第２の対物レンズ部とＤＶＤ用の第１の対物レンズ部の別の例のレンズデータを示す。本実施例においては表１、表２の実施例から、対物レンズ部の軸上厚ｄ１、ｄ２を変更して検討している。本実施例においても、光束は全て平行光束として対物レンズ部に入射させ、ＣＤ及びＤＶＤを良好に記録／再生できる条件を検討している。表３、表４に拠れば、第１の対物レンズ部及び第２の対物レンズ部におけるワーキングディスタンスＷＤ１及びＷＤ２を同じ値とし、ワーキングディスタンスを０．２〜１．５（ｍｍ）の範囲で変更したときに、ｆ２／ｆ１は１．０７１〜１．２７５であり、ｄ２／ｆ２は０．３４３〜０．５８９であり、ｄ１／ｆ１は０．５０３〜０．９７１であり、ＮＡ２／ｆ２は０．１８２〜０．３７６であり、ＮＡ１／ｆ１は０．２４９〜０．５８７となる。但し、一つだけＷＤ１とＷＤ２の値が同一ではない例を含むが、０．９・ＷＤ１≦ＷＤ２≦１．１・ＷＤ１を満たしており、本発明の範囲内である。【００７９】
【表３】
2008117640.tif 000005
【００８０】
【表４】
2008117640.tif 000006
【００８１】
表５は、表３、表４に示す実施例から３つの実施例を抽出し、正弦条件を満たす条件を検討した結果を示している。抽出した３つの実施例は、表３に示すワーキングディスタンスＷＤ＝０．３のもの、ＷＤ＝０．５であってｆ２／ｆ１＝１．２７５のもの、表４に示すＷＤ＝１．５のものである。表５に拠れば、第１の対物レンズ部及び第２の対物レンズ部におけるワーキングディスタンスＷＤ１及びＷＤ２を同じ値とし、ワーキングディスタンスＷＤを０．３〜１．５（ｍｍ）の範囲で変更したときに、第１の対物レンズ部の第１の光学面の有効半径Φ１１は０．７８３〜１．６９７であり、第１の対物レンズ部の第２の光学面の有効半径Φ１２は０．５８３〜１．６１４であり、第２の対物レンズ部の第１の光学面の有効半径Φ２１は０．７４１〜１．４２３であり、第２の対物レンズ部の第２の光学面の有効半径Φ２２は０．６２６〜１．３４８である。又、第１の対物レンズ部の第１の光学面のサグ量ＳＡＧ１１は０．４１７〜１．０４８であり、第１の対物レンズ部の第２の光学面のサグ量ＳＡＧ１２は−０．０８６〜−０．０６７であり、第２の対物レンズ部の第１の光学面のサグ量ＳＡＧ２１は０．２９１〜０．６２７であり、第２の対物レンズ部の第２の光学面のサグ量ＳＡＧ２２は−０．０８４〜−０．０６４である。よって、｛（Φ１１／ＳＡＧ１１）×（Φ１２／ＳＡＧ１２）｝／｛（Φ２１／ＳＡＧ２１）×（Φ２２／ＳＡＧ２２）｝の値は、１．１９９〜１．５２４である。【００８２】
【表５】
2008117640.tif 000007
【００８３】
表３に示す実施例の一つ（ＷＤ＝０．５１（ＤＶＤ）、０．４８（ＣＤ）、ｆ１＝１．３０８ｍｍ、ｆ２＝１．６６７ｍｍ）について、対物レンズ部の形状を示すレンズデータを表６に示す。各対物レンズ部の光学面は、それぞれ式（Ｘ）に、表６に示す係数を代入した数式で規定される、光軸の周りに軸対称な非球面に形成されている。尚、これ以降（表のレンズデータ含む）において、１０のべき乗数（例えば、２．５×１０−３）を、Ｅ（例えば、２．５×Ｅ−３）を用いて表すものとする。
ｚ＝（ｙ２／Ｒ）／［１＋√｛１−（κ＋１）（ｙ／Ｒ）２｝］＋Ａ４ｙ４＋Ａ６ｙ６＋Ａ８ｙ８＋Ａ１０ｙ１０＋Ａ１２ｙ１２＋Ａ１４ｙ１４＋Ａ１６ｙ１６＋Ａ１８ｙ１８＋Ａ２０ｙ２０・・・（Ｘ）
但し、
ｚ：非球面形状（非球面の面頂点に接する平面から光軸に沿った方向の距離）
ｙ：光軸からの距離
Ｒ：曲率半径
κ：コーニック係数
Ａ４、Ａ６、Ａ８、Ａ１０、Ａ１２、Ａ１４、Ａ１６、Ａ１８、Ａ２０：非球面係数【００８４】
【表６】
2008117640.tif 000008
【００８５】
次に、表７に、ＨＤ用の第２の対物レンズ部とＢＤ用の第１の対物レンズ部のレンズデータを示す。また、本実施例においても、光束は全て平行光束として対物レンズ部に入射させ、ＨＤ及びＢＤを良好に記録／再生できる条件を検討している。表７に拠れば、第１の対物レンズ部及び第２の対物レンズ部におけるワーキングディスタンスＷＤ１及びＷＤ２を同じ値とし、ワーキングディスタンスＷＤを０．１〜１．０（ｍｍ）の範囲で変更したときに、ｆ２／ｆ１は０．７７８〜１．２２１であり、ｄ２／ｆ２は０．６９５〜１．１００であり、ｄ１／ｆ１は１．１５３〜１．４３４であり、ＮＡ２／ｆ２は０．２４８〜０．７４８であり、ＮＡ１／ｆ１は０．３６０〜０．８４７となる。【００８６】
【表７】
2008117640.tif 000009
【００８７】
表８は、表７に示す実施例から３つの実施例を抽出し、正弦条件を満たす条件を検討した結果を示している。抽出した３つの実施例は、表７に示すワーキングディスタンスＷＤ＝０．３のもの、ＷＤ＝０．５のｆ２／ｆ１＝１．２１４のもの、ＷＤ＝０．８のｆ２／ｆ１＝１．１１１のものである。表８に拠れば、第１の対物レンズ部及び第２の対物レンズ部におけるワーキングディスタンスＷＤ１及びＷＤ２を同じ値とし、ワーキングディスタンスＷＤを０．３〜０．８（ｍｍ）の範囲で変更したときに、第１の対物レンズ部の第１の光学面の有効半径Φ１１は１．１００〜２．０００であり、第１の対物レンズ部の第２の光学面の有効半径Φ１２は０．６８４〜１．４５８であり、第２の対物レンズ部の第１の光学面の有効半径Φ２１は１．０００〜１．７００であり、第２の対物レンズ部の第２の光学面の有効半径Φ２２は０．５８２〜１．００７である。又、第１の対物レンズ部の第１の光学面のサグ量ＳＡＧ１１は０．９４２〜１．７６２であり、第１の対物レンズ部の第２の光学面のサグ量ＳＡＧ１２は−０．０８６〜−０．０４８であり、第２の対物レンズ部の第１の光学面のサグ量ＳＡＧ２１は０．５１４〜０．８９０であり、第２の対物レンズ部の第２の光学面のサグ量ＳＡＧ２２は−０．０９５〜−０．０５９である。よって、｛（Φ１１／ＳＡＧ１１）×（Φ１２／ＳＡＧ１２）｝／｛（Φ２１／ＳＡＧ２１）×（Φ２２／ＳＡＧ２２）｝の値は、１．０５２〜１．１５３である。【００８８】
【表８】
2008117640.tif 000010
【００８９】
表７の実施例の一つ（ＷＤ＝０．５６、ｆ１＝１．７６４ｍｍ、ｆ２＝２．１５３ｍｍ）について、対物レンズ部の形状を示すレンズデータを表９に示す。各対物レンズ部の光学面は、それぞれ上述した式（Ｘ）に、表９に示す係数を代入した数式で規定される、光軸の周りに軸対称な非球面に形成されている。【００９０】
【表９】
2008117640.tif 000011
【００９１】
次に、表１０に、ＤＶＤ用の第２の対物レンズ部とＢＤ用の第１の対物レンズ部のレンズデータを示す。また、本実施例においても、光束は全て平行光束として対物レンズ部に入射させ、ＤＶＤ及びＢＤを良好に記録／再生できる条件を検討している。表１０に拠れば、第１の対物レンズ部及び第２の対物レンズ部におけるワーキングディスタンスＷＤ１及びＷＤ２を同じ値とし、ワーキングディスタンスＷＤを０．２〜１．０（ｍｍ）の範囲で変更したときに、ｆ２／ｆ１は０．７９４〜１．０１７であり、ｄ２／ｆ２は０．７０５〜０．９８１であり、ｄ１／ｆ１は１．１５３〜１．４３４であり、ＮＡ２／ｆ２は０．２８４〜０．６３７であり、ＮＡ１／ｆ１は０．３６２〜０．８４７となる。【００９２】
【表１０】
2008117640.tif 000012
【００９３】
次に、表１１に、ＤＶＤ用の第２の対物レンズ部とＨＤ用の第１の対物レンズ部のレンズデータを示す。また、本実施例においても、光束は全て平行光束として対物レンズ部に入射させ、ＤＶＤ及びＨＤを良好に記録／再生できる条件を検討している。表１１に拠れば、第１の対物レンズ部及び第２の対物レンズ部におけるワーキングディスタンスＷＤ１及びＷＤ２を同じ値とし、ワーキングディスタンスＷＤを０．２〜１．３（ｍｍ）の範囲で変更したときに、ｆ２／ｆ１は０．９６１〜１．０２２であり、ｄ２／ｆ２は０．５０３〜０．９７１であり、ｄ１／ｆ１は０．５１７〜１．０３９であり、ＮＡ２／ｆ２は０．２７９〜０．５８７であり、ＮＡ１／ｆ１は０．２７７〜０．５６４となる。【００９４】
【表１１】
2008117640.tif 000013
【００９５】
次に、表１２に、ＣＤ用の第２の対物レンズ部とＨＤ用の第１の対物レンズ部のレンズデータを示す。また、本実施例においても、光束は全て平行光束として対物レンズ部に入射させ、ＣＤ及びＨＤを良好に記録／再生できる条件を検討している。表１２に拠れば、第１の対物レンズ部及び第２の対物レンズ部におけるワーキングディスタンスＷＤ１及びＷＤ２を同じ値とし、ワーキングディスタンスＷＤを０．２〜１．５（ｍｍ）の範囲で変更したときに、ｆ２／ｆ１は１．０７０〜１．２３６であり、ｄ２／ｆ２は０．３４３〜０．５８９であり、ｄ１／ｆ１は０．５０３〜１．０３９であり、ＮＡ２／ｆ２は０．１８２〜０．３７６であり、ＮＡ１／ｆ１は０．２４９〜０．５６４となる。【００９６】
【表１２】
2008117640.tif 000014
【００９７】
以上、本発明を実施の形態を参照して説明してきたが、本発明は上記実施の形態に限定して解釈されるべきではなく、適宜変更や改良が可能であることはもちろんである。
【図４】
2008117640.tif 000015
【図５】
2008117640.tif 000016
【図６】
2008117640.tif 000017
【図７】
2008117640.tif 000018
【図１】
2008117640.tif 000019
【図２】
2008117640.tif 000020
【図３】
2008117640.tif 000021
【図８】
2008117640.tif 000022
【国際調査報告】
2008117640.tif 000023
2008117640.tif 000024
2008117640.tif 000025
2008117640.tif 000026